(57)【要約】【課題】入力ミスの誘発を軽減するキー入力装置を実現する。【解決手段】制御部１０は、ソフトキーボード中で入力したいキーや、その周辺キーを含むソフトキーエリアＳＫＥ中でユーザのスライド操作をタッチパネル１７で検出すると、そのスライド操作されたソフトキーエリアＳＫＥに含まれるソフトキーボード中のキーの表示サイズを大きくしてタップ操作による入力をし易くする。そして、表示サイズが大きくされたソフトキーエリアＳＫＥ中で入力したいキーがタップ操作されると、タップ操作された入力キーを入力する。【選択図】図２
2013187658.tif 000002
【特許請求の範囲】
【請求項１】
ソフトキーボードを画面表示する表示手段と、
前記表示手段により画面表示されたソフトキーボード上での接触操作を検出する接触操作検出手段と、
ソフトキーボード中で入力したいキーを含む周辺キー領域を指定する第１の接触操作が、前記接触操作検出手段により検出された場合に、当該第１の接触操作で指定される周辺キー領域中の各キーの表示サイズを大きくするキー表示制御手段と
を具備することを特徴とするキー入力装置。
【請求項２】
前記キー表示制御手段により各キーの表示サイズが大きくされたソフトキー領域において、入力キーを指定する第２の接触操作が前記接触操作検出手段により検出された場合に、当該第２の接触操作で指定された入力キーを入力する入力手段を更に具備することを特徴とするキー入力装置。
【請求項３】
ソフトキーボードを画面表示する表示過程と、
前記表示過程により画面表示されたソフトキーボード上での接触操作を検出する接触操作検出過程と、
ソフトキーボード中で入力したいキーを含む周辺キー領域を指定する第１の接触操作が、前記接触操作検出過程で検出された場合に、当該第１の接触操作で指定される周辺キー領域中の各キーの表示サイズを大きくするキー表示制御過程と
を具備することを特徴とするキー入力方法。
【請求項４】
前記キー表示制御過程により各キーの表示サイズが大きくされたソフトキー領域において、入力キーを指定する第２の接触操作が前記接触操作検出過程により検出された場合に、当該第２の接触操作で指定された入力キーを入力する入力過程を更に具備することを特徴とするキー入力方法。
【請求項５】
コンピュータに、
ソフトキーボードを画面表示する表示ステップと、
前記表示ステップにより画面表示されたソフトキーボード上での接触操作を検出する接触操作検出ステップと、
ソフトキーボード中で入力したいキーを含む周辺キー領域を指定する第１の接触操作が、前記接触操作検出ステップで検出された場合に、当該第１の接触操作で指定される周辺キー領域中の各キーの表示サイズを大きくするキー表示制御ステップと
を実行させることを特徴とするプログラム。
【請求項６】
前記キー表示制御ステップにより各キーの表示サイズが大きくされたソフトキー領域において、入力キーを指定する第２の接触操作が前記接触操作検出ステップにより検出された場合に、当該第２の接触操作で指定された入力キーを入力する入力ステップを更に具備することを特徴とするプログラム
【発明の詳細な説明】
【技術分野】
【０００１】
本発明は、タッチパネルを備えた電子機器に用いて好適なキー入力装置、キー入力方法およびプログラムに関する。
【背景技術】
【０００２】
タッチパネルに表示されるソフトキーボードを介して入力操作を提供するキー入力装置が知られている。この種の技術として、例えば特許文献１には、ユーザのタッチパネルの画面の切り替え指示に応じて、文字入力用のソフトキーボードを含む文字入力シートを入力文字列表示領域の上に重ねてタッチパネルに表示すると共に、当該タッチパネルに入力された文字列を表示することによって、タッチパネル上に一度に表示できる文字列の分量を多くして入力操作の利便性を向上させるキー入力装置が開示されている。
【先行技術文献】
【特許文献】
【０００３】
【特許文献１】特開２００９−２８８８７３号公報
【発明の概要】
【発明が解決しようとする課題】
【０００４】
ところで、上記特許文献１に開示のキー入力装置では、文字入力用のソフトキーボードに登録される文字種（キーの数）が多くなると、必然的に一つのキーに割り当て可能な占有面積も狭くなって押下操作し難くなる結果、例えば本来押下操作すべきキーの隣を押下してしまう等の入力ミスを誘発するという問題がある。
【０００５】
本発明は、このような事情に鑑みてなされたもので、入力ミスの誘発を軽減することができるキー入力装置、キー入力方法およびプログラムを提供することを目的としている。
【課題を解決するための手段】
【０００６】
上記目的を達成するため、本発明のキー入力装置は、ソフトキーボードを画面表示する表示手段と、前記表示手段により画面表示されたソフトキーボード上での接触操作を検出する接触操作検出手段と、ソフトキーボード中で入力したいキーを含む周辺キー領域を指定する第１の接触操作が、前記接触操作検出手段により検出された場合に、当該第１の接触操作で指定される周辺キー領域中の各キーの表示サイズを大きくするキー表示制御手段とを具備することを特徴とする。
【０００７】
また、本発明のキー入力方法は、ソフトキーボードを画面表示する表示過程と、前記表示過程により画面表示されたソフトキーボード上での接触操作を検出する接触操作検出過程と、ソフトキーボード中で入力したいキーを含む周辺キー領域を指定する第１の接触操作が、前記接触操作検出過程で検出された場合に、当該第１の接触操作で指定される周辺キー領域中の各キーの表示サイズを大きくするキー表示制御過程とを具備することを特徴とする。
【０００８】
さらに、本発明のプログラムは、コンピュータに、ソフトキーボードを画面表示する表示ステップと、前記表示ステップにより画面表示されたソフトキーボード上での接触操作を検出する接触操作検出ステップと、ソフトキーボード中で入力したいキーを含む周辺キー領域を指定する第１の接触操作が、前記接触操作検出ステップで検出された場合に、当該第１の接触操作で指定される周辺キー領域中の各キーの表示サイズを大きくするキー表示制御ステップとを実行させることを特徴とする。
【発明の効果】
【０００９】
本発明では、入力ミスの誘発を軽減することができる。
【図面の簡単な説明】
【００１０】
【図１】実施の一形態による携帯端末１００の外観を示す斜視図である。
【図２】携帯端末１００の構成を示すブロック図である。
【図３】キー入力装置の動作により画面表示されるソフトキーボードの一例を示す図である。
【図４】キー入力装置の動作により画面表示されるソフトキーボードの一例を示す図である。
【図５】キー入力装置の動作により画面表示されるソフトキーボードの一例を示す図である。
【図６】キー入力装置の動作により画面表示されるソフトキーボードの一例を示す図である。
【図７】キー入力装置の動作により画面表示されるソフトキーボードの一例を示す図である。
【発明を実施するための形態】
【００１１】
以下、図面を参照して本発明の実施形態について説明する。先ず、図１は実施の一形態によるキー入力装置を備えた携帯端末１００の外観を示す斜視図である。この図に示すように、携帯端末１００は、略直方体形状の筐体１の正面にタッチパネル１７が敷設された表示部１６を有し、この表示部１６に画面表示されるソフトキーボードを、タッチパネル１７のタッチ操作で入力操作するキー入力装置の機能を具現する。
【００１２】
図２は、こうした携帯端末１００の構成を示すブロック図である。この図において、制御部１０は、ＣＰＵおよび入出力回路などから構成され、スイッチ部１５の電源スイッチ操作によりパワーオンされた場合にキー入力装置の機能を起動する共に、起動されたキー入力装置の機能によりタッチ操作入力される各種イベントに応じて端末各部の動作を制御する。
【００１３】
無線通信部１１は、データ通信時には制御部１０の制御の下に、アンテナＡＮＴ１を介して基地局（不図示）とデータ授受を行い、音声通話時にはアンテナＡＮＴ１を介して受信復調した音声データを制御部１０に出力する一方、制御部１０から供給される音声データを変調して得た送信信号を高周波増幅してアンテナＡＮＴ１から送出する。音声信号処理部１２は、スピーカＳＰおよびマイクＭＩＣを備え、制御部１０から供給される音声データを音声信号にＤ／Ａ変換してスピーカＳＰから発音させたり、マイクＭＩＣから出力される音声信号を音声データにＡ／Ｄ変換して制御部１０に供給する。
【００１４】
ＲＯＭ１３は、プログラムエリアおよびデータエリアを備える。ＲＯＭ１３のプログラムエリアには、制御部１０により実行される各種プログラムが記憶される。ここで言う各種プログラムとは、上述したキー入力装置の機能を実現するプログラムを含む。ＲＯＭ１３のデータエリアには、例えば待受画面などの各種表示画面を形成する画面データの他、キー入力装置に用いられる各種ソフトキーボードを形成する画面データが記憶される。
【００１５】
ＲＡＭ１４は、制御部１０の処理に用いる各種レジスタ・フラグデータを一時記憶するワークエリアの他、送受信メールやアドレスなどのユーザデータを保存するユーザエリアを備える。スイッチ部１５は、例えば筐体１の側部など設けられる電源スイッチや音量ボタンスイッチ等から構成され、これらスイッチ操作に応じたイベントを発生して制御部１０に供給する。
【００１６】
表示部１６は、カラー液晶パネルおよび表示ドライバから構成され、制御部１０の制御の下に、待受画面など各種の操作画面を表示したり、キー入力装置に用いられる各種ソフトキーボードを画面表示する。タッチパネル１７は、多点検出するマルチタッチ方式で構成され、タッチパネル上で為される各種のタッチ操作に応じた操作イベントを発生する。なお、ここで言う各種のタッチ操作とは、例えば公知のタップ操作やスライド操作などを含む。
【００１７】
次に、図３〜図７を参照してキー入力装置の動作を説明する。先ず、図３は表示部１６に表示されるキー入力装置のソフトキーボードの一例を示す図である。この図に示す一例のソフトキーボードは、入力モード（「ひら」、「カナ」および「英数」の何れか）を指定する入力モードキーＩＭ１〜１Ｍ３とを備え、入力モードキー１Ｍ３が選択されて英数入力モードに指定されている場合には、第１の大きさのキーを配置した第１のソフトキーエリアＳＫＥ１と、第１の大きさのキーより表示サイズの大きい第２の大きさのキーを配置した第２のソフトキーエリアＳＫＥ２と、第２の大きさのキーより表示サイズの大きい第３の大きさのキーを配置した第３のソフトキーエリアＳＫＥ３とを備える。
【００１８】
図３に図示したソフトキーボードにおいて、例えばユーザが数字キー「１」を入力しようとする場合に、数字キー「１」が含まれる第１のソフトキーエリアＳＫＥ１に対応する領域のタッチパネル１７上に指を置いて右方へ移動させるスライド操作を行ったとする。そうすると、キー入力装置では、図４に図示するように、ユーザのスライド操作に応じて、数字キー「１」が含まれる第１のソフトキーエリアＳＫＥ１を、第３の大きさのキーを配置した第３のソフトキーエリアＳＫＥ３に変更し、これにより数字キー「１」の表示サイズを大きくしてタップ操作による入力をし易くする。そして、この状態で数字キー「１」がユーザによりタップ操作されると、キー入力装置は数字「１」を制御部１０に入力する。
【００１９】
さらに、図４に図示したソフトキーボードにおいて、第３のソフトキーエリアＳＫＥ３に対応する領域のタッチパネル１７上に指を置いて右方へ移動させるスライド操作を行うと、キー入力装置は、図５に図示するように、そのスライド操作に応じて、図４における第１のソフトキーエリアＳＫＥ１を、第３の大きさのキーを配置した第３のソフトキーエリアＳＫＥ３に変更して数字キー「５」〜「７」および英字キー「Ｔ」、「Ｙ」、「Ｕ」、「Ｇ」、「Ｈ」、「Ｊ」、「Ｖ」、「Ｂ」および「Ｎ」の各表示サイズを大きくしてタップ操作による入力をし易くすることも可能になる。
【００２０】
また、図３に図示したソフトキーボードにおいて、例えばユーザが数字キー「１」を入力しようとする際に、数字キー「１」が含まれる第１のソフトキーエリアＳＫＥ１に対応する領域のタッチパネル１７上に指を置いて下方へ移動させるスライド操作を行ったとする。そうすると、キー入力装置は、図６に図示するように、ユーザのスライド操作に応じて、数字キー「１」が含まれる第１のソフトキーエリアＳＫＥ１を、第３の大きさのキーを配置した第３のソフトキーエリアＳＫＥ３に変更して数字キー「１」の表示サイズを大きくしてタップ操作による入力をし易くする。この状態で数字キー「１」がタップ操作されると、キー入力装置は数字「１」を制御部１０に入力する。
【００２１】
このように、本実施形態によるキー入力装置では、ソフトキーボード中で入力したいキーや、その周辺キーを含むソフトキーエリアＳＫＥ中でユーザがスライド操作すると、そのスライド操作されたソフトキーエリアＳＫＥに含まれるソフトキーボード中のキーの表示サイズを大きくしてタップ操作による入力をし易くするので、入力ミスの軽減を図ることが可能になる。
【００２２】
なお、上述した実施形態では、入力モードキー１Ｍ３が選択されて英数入力モードに指定されている場合の動作例について言及したが、本発明の主旨は入力モードの違いに基づく差異は無く、例えば入力モードキー１Ｍ１が選択されてひらがな入力モードに指定されている場合であれば、図７に図示するように、ひらがな入力用のソフトキーボードにおいても、第１の大きさのキーを配置した第１のソフトキーエリアＳＫＥ１と、第２の大きさのキーを配置した第２のソフトキーエリアＳＫＥ２と、第３の大きさのキーを配置した第３のソフトキーエリアＳＫＥ３とから構成される。
【００２３】
また、本発明は、上述した実施形態に限定されるものではなく、本発明の範囲で種々変形することが可能である。一例として挙げれば、本実施形態は、携帯電話やスマートフォン等の端末装置に限らず、入力デバイスとしてタッチパネルを備える電子機器（ゲーム装置、タブレットＰＣ、ラップトップ／ノートＰＣなど）に適用可能であることは言うまでもない。
【００２４】
次に、本発明の特徴を付記する。なお、上記の実施形態の一部又は全部は、以下の付記のように記載され得るが、その記載に限定されるものではない。
【００２５】
（付記１）
ソフトキーボードを画面表示する表示手段と、
前記表示手段により画面表示されたソフトキーボード上での接触操作を検出する接触操作検出手段と、
ソフトキーボード中で入力したいキーを含む周辺キー領域を指定する第１の接触操作が、前記接触操作検出手段により検出された場合に、当該第１の接触操作で指定される周辺キー領域中の各キーの表示サイズを大きくするキー表示制御手段と
を具備することを特徴とするキー入力装置。
【００２６】
（付記２）
前記キー表示制御手段により各キーの表示サイズが大きくされたソフトキー領域において、入力キーを指定する第２の接触操作が前記接触操作検出手段により検出された場合に、当該第２の接触操作で指定された入力キーを入力する入力手段を更に具備することを特徴とするキー入力装置。
【００２７】
（付記３）
ソフトキーボードを画面表示する表示過程と、
前記表示過程により画面表示されたソフトキーボード上での接触操作を検出する接触操作検出過程と、
ソフトキーボード中で入力したいキーを含む周辺キー領域を指定する第１の接触操作が、前記接触操作検出過程で検出された場合に、当該第１の接触操作で指定される周辺キー領域中の各キーの表示サイズを大きくするキー表示制御過程と
を具備することを特徴とするキー入力方法。
【００２８】
（付記４）
前記キー表示制御過程により各キーの表示サイズが大きくされたソフトキー領域において、入力キーを指定する第２の接触操作が前記接触操作検出過程により検出された場合に、当該第２の接触操作で指定された入力キーを入力する入力過程を更に具備することを特徴とするキー入力方法。
【００２９】
（付記５）
コンピュータに、
ソフトキーボードを画面表示する表示ステップと、
前記表示ステップにより画面表示されたソフトキーボード上での接触操作を検出する接触操作検出ステップと、
ソフトキーボード中で入力したいキーを含む周辺キー領域を指定する第１の接触操作が、前記接触操作検出ステップで検出された場合に、当該第１の接触操作で指定される周辺キー領域中の各キーの表示サイズを大きくするキー表示制御ステップと
を実行させることを特徴とするプログラム。
【００３０】
（付記６）
前記キー表示制御ステップにより各キーの表示サイズが大きくされたソフトキー領域において、入力キーを指定する第２の接触操作が前記接触操作検出ステップにより検出された場合に、当該第２の接触操作で指定された入力キーを入力する入力ステップを更に具備することを特徴とするプログラム
【符号の説明】
【００３１】
１  筐体
１０  制御部
１１  無線通信部
１２  音声信号処理部
１３  ＲＯＭ
１４  ＲＡＭ
１５  スイッチ部
１６  表示部
１７  タッチパネル
１００  携帯端末
【図１】
2013187658.tif 000003
【図２】
2013187658.tif 000004
【図３】
2013187658.tif 000005
【図４】
2013187658.tif 000006
【図５】
2013187658.tif 000007
【図６】
2013187658.tif 000008
【図７】
2013187658.tif 000009